(57)【要約】【課題】簡単な回路構成で必要最小限の昇圧電圧を生成し、並列接続されたＬＥＤ等の発光素子を同一の輝度で駆動する。【解決手段】昇圧部４０の出力電圧ＶＯＵＴは、ＬＥＤ列１ａ，１ｂに供給され、直列に接続された定電流部１０ａ，１０ｂにより、ＬＥＤ列１ａ，１ｂが一定電流で駆動される。ノードＮ１ａ，Ｎ１ｂの電圧は、それぞれ電圧検出部２０ａ，２０ｂで検出されてノードＮ３ａ，Ｎ３ｂに出力される。ノードＮ３ａ，Ｎ３ｂは、ノードＮ４に共通接続されており、ノードＮ３ａ，Ｎ３ｂの低い方の電圧がノードＮ４から出力される。ノードＮ４の電圧は電圧制御部３０に与えられ、ＰＭＯＳ３３のソース電圧との差に応じた制御電圧ＶＣが生成され、昇圧部４０の出力電圧ＶＯＵＴを制御する。この帰還ループにより、ノードＮ１ａ，Ｎ１ｂの電圧の内の低い方の電圧がＰＭＯＳ３３のソース電圧と等しくなるように、出力電圧ＶＯＵＴが制御される。【選択図】図１
2010109006.tif 000002
【特許請求の範囲】
【請求項１】
並列に接続された複数の発光素子を駆動する発光素子駆動回路であって、
前記各発光素子と共通電位との間に直列に接続され、該発光素子に一定電流を流す複数の定電流部と、
それぞれ検出電圧を出力するための検出ノードを有し、前記発光素子と前記定電流部との接続点の電圧を検出して該検出ノードから該検出電圧を出力する複数の電圧検出部と、
前記各電圧検出部の検出ノードが共通に接続される共通ノードと、
基準電圧と前記共通ノードの電圧との差に対応する制御電圧を出力する電圧制御部と、
入力電圧を前記制御電圧に従って昇圧し、前記複数の発光素子に対する駆動電圧として供給する昇圧部とを備え、
前記共通ノードの電圧が前記基準電圧に等しくなるように、前記制御電圧によって前記昇圧部から出力される前記駆動電圧が制御されることを特徴とする発光素子駆動回路。
【請求項２】
前記各定電流部は、前記発光素子と共通電位との間に直列に接続された第１のトランジスタと抵抗を有し、該抵抗に流れる電流が前記一定電流となるように、該第１のトランジスタの導通状態を制御するように構成され、
前記各電圧検出部は、ソース電極が前記検出ノードに接続され、ドレイン電極が前記共通電位に接続された第２のトランジスタを有し、前記発光素子と前記定電流部との接続点の電圧に基づく電圧が該ソース電極から出力されるように該第２のトランジスタの導通状態を制御するように構成され、
前記電圧制御部は、ソース電極がプルアップされ、ドレイン電極が前記共通電位に接続され、ゲート電極に参照電圧が与えられて該ソース電極から前記基準電圧を出力する第３のトランジスタと、該基準電圧と前記共通ノードの電圧との差に応じて前記制御電圧を出力する演算増幅器とで構成される、
ことを特徴とする請求項１に記載の発光素子駆動回路。
【請求項３】
前記参照電圧は、前記定電流部の抵抗に前記一定電流が流れたときに該抵抗に生ずる電圧に前記第１のトランジスタのオン抵抗に掛かる電圧を加えた電圧と同じ値に設定されることを特徴とする請求項２に記載の発光素子駆動回路。
【請求項４】
前記発光素子は、白色発光ダイオードであることを特徴とする請求項１乃至３のいずれか１項に記載の発光素子駆動回路。
【発明の詳細な説明】
【技術分野】
【０００１】
本発明は、並列に接続された複数の発光素子をほぼ同じ輝度となるように駆動する発光素子駆動回路に関する。
【背景技術】
【０００２】
携帯電話をはじめとする携帯機器の液晶表示器（以下、ＬＣＤという）では、バックライトとして発光ダイオード（以下、ＬＥＤという）等の発光素子が使用される。携帯電話等では、電源の制約から、ＬＥＤを点灯させるための昇圧回路を備えることが多い。また、複数のＬＥＤを並列に接続して駆動することが一般的である。このような場合、複数のＬＥＤを同じ輝度で発光させる必要があり、そのためには各ＬＥＤを同じ一定電流で駆動する必要がある。
【０００３】
ところが、ＬＥＤ（特に白色ＬＥＤ）には、順方向電圧にばらつきがあるため、最悪の状態を想定して昇圧回路の出力電圧を定める必要がある。このため、必要以上に高い電圧でＬＥＤを駆動し、無駄な電力を消費していることが多い。また、これとは逆に、昇圧回路の出力電圧が低く、一部のＬＥＤで十分な輝度が得られず画質が劣化する場合もある。
【０００４】
このような問題を回避するために、下記特許文献１には、定電流回路で駆動される各ＬＥＤの端子電位をＬＥＤ端子監視回路で比較して最も電位の低いＬＥＤを検出し、その検出結果に基づいてアナログ信号選択回路が該当するＬＥＤの電圧状態を選択し、その選択された電圧状態に基づいて昇圧回路の出力電圧を制御するように構成したＬＥＤ点灯制御装置が記載されている。
【０００５】
このような構成により、昇圧回路は複数のＬＥＤの内で最も電圧状態が低いＬＥＤに基づいて昇圧動作を実行するので、複数のＬＥＤを確実に駆動することができ、且つ必要最小限度の電圧で駆動することができるとされている。
【０００６】
【特許文献１】特開２００５−１１６１９９号公報
【発明の開示】
【発明が解決しようとする課題】
【０００７】
しかしながら、特許文献１のＬＥＤ点灯制御装置は、複数のＬＥＤの内で最も電圧状態が低いＬＥＤを検出するためのＬＥＤ端子監視回路や、このＬＥＤ端子監視回路の検出結果に基づいて該当するＬＥＤの電圧状態を選択するアナログ信号選択回路が必要となる。特に、ＬＥＤ端子監視回路は、一番低いＬＥＤ端子電位を検出するために多数の電圧比較器と共に、これらの電圧比較器の比較結果に基づいて端子電圧が一番低いＬＥＤを特定するための論理回路で構成されている。このため、駆動するＬＥＤの数が多くなると、ＬＥＤ端子監視回路の規模が極端に大きくなるという課題があった。本発明は、簡単な回路構成で必要最小限の昇圧電圧を生成して、並列接続された発光素子を同一輝度で駆動することができる発光素子駆動回路を提供することを目的としている。
【課題を解決するための手段】
【０００８】
上記目的を達成するために、本発明に係る発光素子駆動回路は、並列に接続された複数の発光素子を駆動する発光素子駆動回路であって、前記各発光素子と共通電位との間に直列に接続され、該発光素子に一定電流を流す複数の定電流部と、それぞれ検出電圧を出力するための検出ノードを有し、前記発光素子と前記定電流部との接続点の電圧を検出して該検出ノードから該検出電圧を出力する複数の電圧検出部と、前記各電圧検出部の検出ノードが共通に接続される共通ノードと、基準電圧と前記共通ノードの電圧との差に対応する制御電圧を出力する電圧制御部と、入力電圧を前記制御電圧に従って昇圧し、前記複数の発光素子に対する駆動電圧として供給する昇圧部とを備え、
前記共通ノードの電圧が前記基準電圧に等しくなるように、前記制御電圧によって前記昇圧部から出力される前記駆動電圧が制御されることを特徴とする。
【０００９】
ここで、前記各定電流部は、前記発光素子と共通電位との間に直列に接続された第１のトランジスタと抵抗を有し、該抵抗に流れる電流が前記一定電流となるように、該第１のトランジスタの導通状態を制御するように構成され、前記各電圧検出部は、ソース電極が前記検出ノードに接続され、ドレイン電極が前記共通電位に接続された第２のトランジスタを有し、前記発光素子と前記定電流部との接続点の電圧に基づく電圧が該ソース電極から出力されるように該第２のトランジスタの導通状態を制御するように構成され、前記電圧制御部は、ソース電極がプルアップされ、ドレイン電極が前記共通電位に接続され、ゲート電極に参照電圧が与えられて該ソース電極から前記基準電圧を出力する第３のトランジスタと、該基準電圧と前記共通ノードの電圧との差に応じて前記制御電圧を出力する演算増幅器とで構成することができる。
【００１０】
なお、前記参照電圧は、前記定電流部の抵抗に前記一定電流が流れたときに該抵抗に生ずる電圧に前記第１のトランジスタのオン抵抗に掛かる電圧を加えた電圧と同じ値に設定することができる。また、前記発光素子は、白色ＬＥＤとすることができる。
【発明の効果】
【００１１】
本発明によれば、並列に接続された発光素子に一定電流を流す複数の定電流部と、発光素子と定電流部との接続点の電圧を検出して、それぞれの検出ノードから出力する複数の電圧検出部を備えると共に、各電圧検出部の検出ノードが共通に接続される共通ノードの電圧と基準電圧との差に対応する制御電圧を出力する電圧制御部と、入力電圧を制御電圧に従って昇圧して発光素子に対する駆動電圧として供給する昇圧部とを備えている。
これにより、共通ノードには複数の検出ノードの電圧の内の最低の電圧が出力され、この共通ノードの電圧が基準電圧に等しくなるように、昇圧部から出力される駆動電圧が制御される。従って、本発明は、簡単な回路構成で必要最小限の駆動電圧を生成して、並列接続された発光素子を同一輝度で駆動することができるという効果がある。
【発明を実施するための最良の形態】
【００１２】
以下、図面に基づき、本発明の実施の形態について詳細に説明する。
本発明のＬＥＤ駆動回路は、図１に示すように、発光素子として複数の白色ＬＥＤが直列に接続されたＬＥＤ列１ａ，１ｂに同一の一定電流Ｉａ，Ｉｂを流すことにより、これらの複数の白色ＬＥＤを同じ輝度で発光するように駆動するものである。
【００１３】
各ＬＥＤ列１ａ，１ｂのアノード側には、昇圧された出力電圧ＶＯＵＴが共通に供給されるようになっており、カソード側は、それぞれノードＮ１ａ，Ｎ１ｂに接続されている。更に、ノードＮ１ａ，Ｎ１ｂは、それぞれ一定電流Ｉａ，Ｉｂを流すための定電流部１０ａ，１０ｂを介して共通電位に接続されている。
【００１４】
定電流部１０ａ，１０ｂは同一の回路構成で、定電流部１０ａに示すように、ドレインがノードＮ１ａに接続され、ソースが抵抗１２ａを介して共通電位に接続されたＮチャネル型ＭＯＳトランジスタ（以下、ＮＭＯＳという）１１ａと、演算増幅器（以下、ＯＰという）１３ａを有している。ＯＰ１３ａの非反転入力端子＋には参照電圧ＲＥＦ１が与えられ、反転入力端子−はＮＭＯＳ１１ａのソースに接続されている。また、ＯＰ１３ａの出力端子は、ＮＭＯＳ１１ａのゲートに接続されている。
【００１５】
ノードＮ１ａ，Ｎ１ｂには、更に、これらのノードＮ１ａ，Ｎ１ｂの電圧を検出するための電圧検出部２０ａ，２０ｂが接続されている。電圧検出部２０ａ，２０ｂは同一の回路構成で、電圧検出部２０ａに示すように、ゲートがノードＮ１ａに接続され、ドレインが共通電位に接続され、ソースがノードＮ２ａに接続されたＰチャネル型ＭＯＳトランジスタ（以下、ＰＭＯＳという）２１ａを有している。ノードＮ２ａは、プルアップ用のＰＭＯＳ２２ａを介して電源電位ＶＤＤに接続されている。なお、ＰＭＯＳ２２ａのゲートには、微小な一定電流を流すためのバイアス電圧ＶＢ１が与えられている。
【００１６】
ノードＮ２ａには、更にＯＰ２３ａの非反転入力端子＋が接続され、このＯＰ２３ａの出力端子がＰＭＯＳ２４ａのゲートに接続されている。ＰＭＯＳ２４ａのドレインは共通電位に接続され、ソースがノードＮ３ａに接続されている。ノードＮ３ａは、ＯＰ２３ａの反転入力端子−に接続され、このノードＮ３ａからノードＮ２ａと同じ電圧が出力されるようになっている。即ち、この電圧検出部２０ａは、ソースフォロワ型のボルテージフォロワ回路を構成している。同様に、電圧検出部２０ｂのノードＮ３ｂから、ノードＮ２ｂと同じ電圧が出力されるようになっている。電圧検出部２０ａ，２０ｂのノードＮ３ａ，Ｎ３ｂはノードＮ４に共通接続され、このノードＮ４から、ノードＮ３ａ，Ｎ３ｂの電圧の内で一番低い電圧が出力されるようになっている。ノードＮ４には、電圧制御部３０が接続されている。
【００１７】
電圧制御部３０は、ＰＭＯＳ３１，３２，３３とＯＰ３４で構成され、ノードＮ４の電圧と基準電圧ＲＥＦ（具体的には、ＰＭＯＳ３３のソース電圧）との差に対応する制御電圧ＶＣを出力するものである。ノードＮ４は、プルアップ用のＰＭＯＳ３１を介して電源電位ＶＤＤに接続されると共に、ＯＰ３４の非反転入力端子＋に接続されている。ＯＰ３４の反転入力端子−は、プルアップ用のＰＭＯＳ３２を介して電源電位ＶＤＤに接続されると共に、ＰＭＯＳ３３を介して共通電位に接続されている。なお、ＰＭＯＳ３３のゲートには、定電流部１０における参照電圧ＲＥＦ１よりも高い、参照電圧ＲＥＦ２が与えられている。また、ＯＰ３４の出力端子は、昇圧部４０の制御端子に接続されている。
【００１８】
昇圧部４０は、電圧制御部３０から与えられる制御電圧ＶＣに基づいて、入力電圧ＶＩＮ（通常は、電源電圧）を昇圧し、可変の出力電圧ＶＯＵＴを生成するものである。昇圧部４０は、例えば、電圧制御部３０から与えられる制御電圧ＶＣでクロック信号のパルス幅を変化させるパルス幅変調器（ＰＷＭ変調器）と、この変調されたクロック信号を用いるスイッチングレギュレータ等の昇圧回路で構成することができる。昇圧部４０で生成される可変の出力電圧ＶＯＵＴは、ＬＥＤ列１ａ，１ｂのアノード側に与えられるようになっている。
【００１９】
次に動作を説明する。
ＬＥＤ列１ａ，１ｂのアノード側に、昇圧部４０からの出力電圧ＶＯＵＴが与えられ、これらのＬＥＤ列１ａ，１ｂには、それぞれＩａ，Ｉｂの駆動電流が流れる。
定電流部１０ａのＯＰ１３ａでは、ＮＭＯＳ１１ａの導通状態が、このＯＰ１３ａの出力信号によって制御され、抵抗１２ａに生ずる電圧が反転入力端子−にフィードバックされる。帰還回路を有するＯＰのイマジナリ・ショートの原理から、ＯＰ１３ａの反転入力端子−の電圧（即ち、抵抗１２ａに生ずる電圧）は、非反転入力端子＋の電圧（即ち、参照電圧ＲＥＦ１）に等しくなる。従って、抵抗１２ａの抵抗値をＲとすると、この抵抗１２ａに流れる電流は、ＲＥＦ１／Ｒである。
【００２０】
ＬＥＤ列１ａ、ＮＭＯＳ１１ａ、及び抵抗１２ａは、直列に接続されているので、このＬＥＤ列１ａに流れる駆動電流ＩａもＲＥＦ１／Ｒとなる。一方、定電流部１０ｂも、定電流部１０ａと同一の回路構成となっているので、ＬＥＤ列１ｂに流れる駆動電流ＩｂもＲＥＦ１／Ｒとなる。従って、ＬＥＤ列１ａとＬＥＤ列１ｂを構成する各白色ＬＥＤは、すべて同じ大きさの電流で駆動されるので、ほぼ同じ輝度で発光する。但し、各白色ＬＥＤに掛かる電圧は、素子の特性のばらつきによって異なる。このため、一般的にはＬＥＤ列１ａ，１ｂによる電圧降下が異なり、ノードＮ１ａ，Ｎ１ｂに発生する電圧は同一とはならない。
【００２１】
ノードＮ１ａの電圧は、ボルテージフォロワ回路を構成する電圧検出部２０ａの入力側のＰＭＯＳ２１ａのゲートに与えられる。これにより、電圧検出部２０ａの出力側のノードＮ３ａ（即ち、ＰＭＯＳ２４ａのソース）には、ノードＮ２ａと同じ電圧が出力されることになる。同様に、ノードＮ１ｂの電圧は、ボルテージフォロワ回路を構成する電圧検出部２０ｂの入力側のＰＭＯＳ２１ｂのゲートに与えられ、この電圧検出部２０ｂの出力側のノードＮ３ｂに、ノードＮ２ｂと同じ電圧が出力される。
【００２２】
ノードＮ３ａとノードＮ３ｂは、それぞれＰＭＯＳ２４ａ，２４ｂを介して共通電位に接続されると共に、ノードＮ４に共通接続されている。このため、ノードＮ４の電圧は、ノードＮ３ａ，Ｎ３ｂの電圧の内の低い方の電圧に引き下げられる。従って、ノードＮ４の電圧は、ノードＮ１ａ，Ｎ１ｂの内の低い方の電圧となる。
【００２３】
ノードＮ４の電圧は、電圧制御部３０のＯＰ３４の非反転入力端子＋に与えられ、このＯＰ３４の反転入力端子−に与えられているＰＭＯＳ３３のソース電圧（参照電圧ＲＥＦ２からＰＭＯＳ３３の閾値電圧Ｖｔだけレベルシフトした電圧）と比較される。これにより、ＯＰ３４の出力端子から、ノードＮ４の電圧とＰＭＯＳ３３のソース電圧との差に応じた制御電圧ＶＣが出力され、昇圧部４０に与えられる。
【００２４】
昇圧部４０では、制御電圧ＶＣに応じて入力電圧ＶＩＮが昇圧され、この制御電圧ＶＣに対応した出力電圧ＶＯＵＴが出力される。出力電圧ＶＯＵＴは、ＬＥＤ列１ａ，１ｂのアノード側に共通に供給され、定電流部１０ａ，１０ｂによって、これらのＬＥＤ列１ａ，１ｂが同一の一定電流で駆動される。
【００２５】
ここで、例えばノードＮ４の電圧がＰＭＯＳ３３のソース電圧よりも高い場合、電圧制御部３０から出力される制御電圧ＶＣは、昇圧部４０の出力電圧ＶＯＵＴを引き下げるように作用する。これにより、ＬＥＤ列１ａ，１ｂに流れる駆動電流Ｉａ，Ｉｂは一定値を保持したままで、ノードＮ１ａ，Ｎ１ｂの電圧が低下する。ノードＮ１ａ，Ｎ１ｂの電圧は、それぞれ電圧検出部２０ａ，２０ｂを通してノードＮ３ａ，Ｎ３ｂに出力される。そして、ノードＮ４には、ノードＮ１ａ，Ｎ１ｂの電圧の内の低い方の電圧に対応する電圧が出力される。
【００２６】
一方、ノードＮ４の電圧がＰＭＯＳ３３のソース電圧よりも低い場合、電圧制御部３０から出力される制御電圧ＶＣは、昇圧部４０の出力電圧ＶＯＵＴを引き上げるように作用する。これにより、ＬＥＤ列１ａ，１ｂに流れる駆動電流Ｉａ，Ｉｂは一定値を保持したままで、ノードＮ１ａ，Ｎ１ｂの電圧が上昇する。
【００２７】
このような、フィードバック・ループにより、ノードＮ４の電圧は、ＰＭＯＳ３３のソース電圧と等しくなるように制御される。ここで、ノードＮ４の電圧は、ノードＮ２ａ，Ｎ２ｂの電圧の内の低い方の電圧である。従って、このＬＥＤ駆動回路では、ノードＮ１ａ，Ｎ１ｂの電圧の内の低い方の電圧が、ＰＭＯＳ３３のソース電圧と等しくなるように制御されることになる。
【００２８】
図２は、図１の動作説明図である。この図２では、制御電圧ＶＣによるフィードバックが行われない場合の、ＬＥＤ列１ａ，１ｂに供給する駆動電圧（出力電圧ＶＯＵＴ）と駆動電流ＩＬＥＤ（Ｉａ，Ｉｂ）の関係を示している。
出力電圧ＶＯＵＴを０から上昇させると、駆動電流ＩＬＥＤは、直列接続されたＬＥＤの順方向電圧の合計値を超えたポイントから、定電流部１０ａ，１０ｂで設定される一定電流Ｉ（＝ＲＥＦ１／Ｒ）になるまで、この出力電圧ＶＯＵＴの上昇と共に増加する。
【００２９】
駆動電流ＩＬＥＤが一定電流Ｉに達すると、出力電圧ＶＯＵＴをそれ以上に上げても、駆動電流ＩＬＥＤは変化しない。この状態において、ＬＥＤ列１ａ，１ｂに掛かる電圧は、これらのＬＥＤ列１ａ，１ｂを構成する各白色ＬＥＤの特性に応じた値となり、出力電圧ＶＯＵＴとは無関係である。即ち、出力電圧ＶＯＵＴとＬＥＤ列１ａ，１ｂに掛かる電圧との差の電圧が、ノードＮ１ａ，Ｎ１ｂの電圧となる。
【００３０】
定電流部１０ａ，１０ｂが正常に動作する（即ち、ＬＥＤ列１ａ，１ｂに一定電流Ｉを流す）ためには、ノードＮ１ａ，Ｎ１ｂの電圧は、少なくとも、ＲＥＦ１＋ＮＭＯＳ１１ａ，１１ｂのオン抵抗に掛かる電圧Ｖｔｎ以上である必要がある。但し、それ以上の電圧を掛けると、余りの電圧はＮＭＯＳ１１ａ，１１ｂによって無駄な電力として消費される。従って、ノードＮ１ａ，Ｎ１ｂの電圧の内の低い方の電圧を、定電流部１０ａ，１０ｂが正常に動作する必要最低限の電圧（即ち、ＲＥＦ１＋Ｖｔｎ）に設定することにより、無駄な電力の消費を抑えることができる。
【００３１】
前述のように、ＬＥＤ列１ａ，１ｂ→定電流部１０ａ，１０ｂ→電圧検出部２０ａ，２０ｂ→電圧制御部３０→昇圧部４０→ＬＥＤ列１ａ，１ｂのフィードバック・ループにより、ノードＮ１ａ，Ｎ１ｂの電圧の内の低い方の電圧が、参照電圧ＲＥＦ２に等しくなるように制御される。従って、参照電圧ＲＥＦ２を、定電流部１０ａ，１０ｂが正常に動作する必要最低限の電圧（即ち、ＲＥＦ１＋Ｖｔｎ）に設定することにより、無駄な電力の消費を抑えることができる。
【００３２】
以上のように、本実施形態のＬＥＤ駆動回路は、ソースフォロワ型の電圧検出部２０ａ，２０ｂの出力側のノードＮ３ａ，Ｎ３ｂを、電圧制御部３０の入力側のノードＮ４に共通接続している。これにより、このＬＥＤ駆動回路は、並列接続された白色ＬＥＤ等の発光素子を、簡単な回路構成で必要最低限の昇圧電圧を生成し、無駄な電力消費を抑えてほぼ同一の輝度で駆動することができるという利点がある。
【００３３】
なお、本発明は、上記実施形態に限定されるものではなく、次のような種々の変形が可能である。
（ａ）  図１には、２つのＬＥＤ列１ａ，１ｂを駆動する場合の構成を示したが、任意の数のＬＥＤ列１を並列に駆動することができる。その場合、定電流部１０と電圧検出部２０を、ＬＥＤ列１の数だけ設ければ良い。また、ＬＥＤ列１ａ，１ｂは複数のＬＥＤを直列に接続して構成されているが、単独のＬＥＤでも良い。
【００３４】
（ｂ）  電圧検出部２０ａ，２０ｂや電圧制御部３０の回路構成は一例であり、同様の機能を有する回路を使用することができる。例えば、プルアップ用のＰＭＯＳ２２ａ，２２ｂ，３１，３２に代えて、高抵抗を使用しても良い。
また、電圧検出部２０ａ，２０ｂのＰＭＯＳ２１ａ，２１ｂ，２２ａ，２２ｂを削除し、ＯＰ２３ａ，２３ｂの非反転入力端子＋を、それぞれノードＮ１ａ，Ｎ１ｂに直接接続しても良い。これにより、ノードＮ１ａ，Ｎ１ｂの電圧が、それぞれノードＮ３ａ，Ｎ３ｂに出力されることになる。
（ｃ）  発光素子は、白色ＬＥＤに限定されない。有機エレクトロルミネッセンス等の電流駆動型の発光素子に対しても、同様に適用可能である。
【００３５】
（ｄ）  昇圧部４０の構成は、例示したものに限定されない。電圧制御部３０から出力される制御電圧ＶＣに応じた出力電圧ＶＯＵＴを生成するものであれば、どのような構成のものでも良い。
【図面の簡単な説明】
【００３６】
【図１】本発明の実施形態に係るＬＥＤ駆動回路を示す回路図である。
【図２】図１の動作説明図である。
【符号の説明】
【００３７】
１ａ，１ｂ    ＬＥＤ列
１０ａ，１０ｂ    定電流部
１１ａ，１１ｂ    ＮＭＯＳ
１２ａ，１２ｂ    抵抗
２０ａ，２０ｂ    電圧検出部
２４ａ，２４ｂ，３２，３３    ＰＭＯＳ
３０    電圧制御部
３４    演算増幅器
４０    昇圧部
【図１】
2010109006.tif 000003
【図２】
2010109006.tif 000004